【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
第１の画像処理装置、第２の画像処理装置、及び、複数の端末装置を含む画像処理システムにおいて用いられるレイアウト評価装置であって、
前記第１の画像処理装置及び第２の画像処理装置のそれぞれについて、前記複数の端末装置のそれぞれとの間の位置関係を示す情報を取得する取得部と、
前記取得部が取得した位置関係を示す情報に基づいて、前記複数の端末装置のうちの一部の端末装置と、前記第１の画像処理装置及び前記第２の画像処理装置のそれぞれとの位置関係を解析し、前記第１の画像処理装置及び前記第２の画像処理装置の設置位置の適正さを判断する解析部と、
前記解析部による判断結果を出力する出力部と
を備えることを特徴とするレイアウト評価装置。
【請求項２】
前記解析部は、前記第１の画像処理装置及び前記第２の画像処理装置の設置位置が適正でない場合に、前記第１の画像処理装置または前記第２の画像処理装置の設置位置を変更すべきと判断し、前記第１の画像処理装置及び前記第２の画像処理装置の設置位置が適正である場合に、前記第１の画像処理装置または前記第２の画像処理装置の設置位置を変更すべきでないと判断する、請求項１に記載のレイアウト評価装置。
【請求項３】
前記取得部は、さらに、前記複数の端末装置のそれぞれと前記第１の画像処理装置または前記第２の画像処理装置とが対応付けられたジョブ履歴を取得し、
前記解析部は、さらに、前記第１の画像処理装置が実行したジョブの量と、前記第２の画像処理装置が実行したジョブの量とを比較して、前記第１の画像処理装置及び前記第２の画像処理装置の設置位置の適正さを判断する、請求項１または２に記載のレイアウト評価装置。
【請求項４】
前記解析部は、前記第１の画像処理装置及び前記第２の画像処理装置のそれぞれが実行したジョブの量に、所定の差がある場合に、前記第１の画像処理装置及び前記第２の画像処理装置の設置位置が適正でないと判断する、請求項３に記載のレイアウト評価装置。
【請求項５】
前記解析部は、前記第１の画像処理装置及び前記第２の画像処理装置の設置位置が適正でないと判断した場合、前記第１の画像処理装置及び前記第２の画像処理装置のうち、ジョブの実行量が少ない画像処理装置の方がジョブの実行量の多い画像処理装置よりも前記一部の端末装置との距離が近くなるように前記第１の画像処理装置または前記第２の画像処理装置の設置位置を変更すべきであると判断する、請求項４に記載のレイアウト評価装置。
【請求項６】
前記解析部は、さらに、前記第１の画像処理装置から所定の範囲内にある端末装置の数と、前記第２の画像処理装置から所定の範囲内にある端末装置の数とを比較して、前記第１の画像処理装置の設置位置と前記第２の画像処理装置の設置位置との適正さを判断する、請求項１または２に記載のレイアウト評価装置。
【請求項７】
前記解析部は、前記第１の画像処理装置から所定の範囲内にある端末装置の数と、前記第２の画像処理装置から所定の範囲内にある端末装置の数とに、所定の差がある場合に、前記第１の画像処理装置及び前記第２の画像処理装置の設置位置が適正でないと判断する、請求項６に記載のレイアウト評価装置。
【請求項８】
前記解析部は、前記第１の画像処理装置及び前記第２の画像処理装置の設置位置が適正でないと判断した場合、前記第１の画像処理装置及び前記第２の画像処理装置のうち、所定範囲内にある端末装置の数が少ない画像処理装置の方が所定範囲内にある端末装置の数が多い画像処理装置よりも前記一部の端末装置との距離が近くなるように前記第１の画像処理装置または前記第２の画像処理装置の設置位置を変更すべきであると判断する、請求項７に記載のレイアウト評価装置。
【請求項９】
前記出力部の出力には、前記第１の画像処理装置及び前記第２の画像処理装置の適正な設置位置に関する情報を含む、請求項１〜８のいずれかに記載のレイアウト評価装置。
【請求項１０】
前記出力部の出力には、前記第１の画像処理装置または前記第２の画像処理装置の設置位置を変更するための情報を含む、請求項１〜９のいずれかに記載のレイアウト評価装置。
【請求項１１】
前記出力部の出力には、前記第１の画像処理装置または前記第２の画像処理装置の設置位置を移動させるための移動方向を含む、請求項１０に記載のレイアウト評価装置。
【請求項１２】
前記出力部の出力には、前記第１の画像処理装置または前記第２の画像処理装置の設置位置を移動させるための移動距離を含む、請求項１１に記載のレイアウト評価装置。
【請求項１３】
前記解析部は、前記第１の画像処理装置または前記第２の画像処理装置の設置位置を変更した場合の、前記第１の画像処理装置及び前記第２の画像処理装置におけるジョブの実行量を推定する、請求項１〜１２のいずれかに記載のレイアウト評価装置。
【請求項１４】
前記出力部の出力には、前記推定したジョブの実行量を含む、請求項１３に記載のレイアウト評価装置。
【請求項１５】
前記解析部は、前記取得部が取得した位置関係を示す情報に基づいて、前記第１の画像処理装置から所定の範囲内にあり、且つ、前記第２の画像処理装置から所定の範囲内にある端末装置の中から、前記一部の端末装置を特定する、請求項１〜１４のいずれかに記載のレイアウト評価装置。
【請求項１６】
前記取得部は、前記第１の画像処理装置及び第２の画像処理装置のそれぞれについて、前記複数の端末装置のそれぞれとの間の位置関係を示す情報として、前記第１の画像処理装置及び第２の画像処理装置のそれぞれと、前記複数の端末装置のそれぞれとの間の無線通信状態を示す通信状態情報を取得し、
前記解析部は、前記通信状態情報が示す無線通信状態に基づいて、第１の画像処理装置及び第２の画像処理装置のそれぞれと、前記複数の端末装置のそれぞれとの間の距離を導出する、請求項１〜１５のいずれかに記載のレイアウト評価装置。
【請求項１７】
前記取得部が取得する通信状態情報は、複数の通信強度のそれぞれにより無線通信した場合の無線通信状態を示し、
前記解析部は、通信強度毎の通信可能距離と各通信強度での無線通信状態とから、前記第１の画像処理装置及び第２の画像処理装置のそれぞれと、前記複数の端末装置のそれぞれとの距離を導出する、請求項１６に記載のレイアウト評価装置。
【請求項１８】
前記取得部が取得する通信状態情報は、無線通信時の伝播時間を示し、
前記第１の画像処理装置と第２の画像処理装置のそれぞれと、前記複数の端末装置のそれぞれは、同じクロックを備え、
前記第１の画像処理装置及び第２の画像処理装置のそれぞれと、前記複数の端末装置のそれぞれとの間で無線通信する場合に、送信側の装置は送信時に自装置が備えるクロックが示す時刻を送信データに付加し、受信側の装置は、前記送信データの受信時に自装置のクロックが示す時刻と、前記送信データに付加されている時刻との差を求め、前記解析部は、この差に基づいて前記第１の画像処理装置及び第２の画像処理装置のそれぞれと、前記複数の端末装置のそれぞれとの距離を導出する、請求項１６に記載のレイアウト評価装置。
【請求項１９】
第１の画像処理装置、第２の画像処理装置、及び、複数の端末装置を含む画像処理システムにおいて用いられるレイアウト評価装置として機能するコンピュータで実行されるプログラムであって
前記第１の画像処理装置及び第２の画像処理装置のそれぞれについて、前記複数の端末装置のそれぞれとの間の位置関係を示す情報を取得する取得ステップと、
前記取得した位置関係を示す情報に基づいて、前記複数の端末装置のうちの一部の端末装置と、前記第１の画像処理装置及び前記第２の画像処理装置のそれぞれとの位置関係を解析し、前記第１の画像処理装置及び前記第２の画像処理装置の設置位置の適正さを判断する解析ステップと、
前記解析ステップにおける判断結果を出力する出力ステップと
を実行することを特徴とするレイアウト評価プログラム。
【請求項２０】
前記解析ステップは、前記第１の画像処理装置及び前記第２の画像処理装置の設置位置が適正でない場合に、前記第１の画像処理装置または前記第２の画像処理装置の設置位置を変更すべきと判断し、前記第１の画像処理装置及び前記第２の画像処理装置の設置位置が適正である場合に、前記第１の画像処理装置または前記第２の画像処理装置の設置位置を変更すべきでないと判断する、請求項１９に記載のレイアウト評価プログラム。
【請求項２１】
前記取得ステップは、さらに、前記複数の端末装置のそれぞれと前記第１の画像処理装置または前記第２の画像処理装置とが対応付けられたジョブ履歴を取得し、
前記解析ステップは、さらに、前記第１の画像処理装置が実行したジョブの量と、前記第２の画像処理装置が実行したジョブの量とを比較して、前記第１の画像処理装置及び前記第２の画像処理装置の設置位置の適正さを判断する、請求項１９または２０に記載のレイアウト評価プログラム。
【請求項２２】
前記解析ステップは、前記第１の画像処理装置及び前記第２の画像処理装置のそれぞれが実行したジョブの量に、所定の差がある場合に、前記第１の画像処理装置及び前記第２の画像処理装置の設置位置が適正でないと判断する、請求項２１に記載のレイアウト評価プログラム。
【請求項２３】
前記解析ステップは、前記第１の画像処理装置及び前記第２の画像処理装置の設置位置が適正でないと判断した場合、前記第１の画像処理装置及び前記第２の画像処理装置のうち、ジョブの実行量が少ない画像処理装置の方がジョブの実行量の多い画像処理装置よりも前記一部の端末装置との距離が近くなるように前記第１の画像処理装置または前記第２の画像処理装置の設置位置を変更すべきであると判断する、請求項２２に記載のレイアウト評価プログラム。
【請求項２４】
前記解析ステップは、さらに、前記第１の画像処理装置から所定の範囲内にある端末装置の数と、前記第２の画像処理装置から所定の範囲内にある端末装置の数とを比較して、前記第１の画像処理装置及び前記第２の画像処理装置の設置位置の適正さを判断する、請求項１９または２０に記載のレイアウト評価プログラム。
【請求項２５】
前記解析ステップは、前記第１の画像処理装置から所定の範囲内にある端末装置の数と、前記第２の画像処理装置から所定の範囲内にある端末装置の数とに、所定の差がある場合に、前記第１の画像処理装置及び前記第２の画像処理装置の設置位置が適正でないと判断する、請求項２４に記載のレイアウト評価プログラム。
【請求項２６】
前記解析ステップは、前記第１の画像処理装置及び前記第２の画像処理装置の設置位置が適正でないと判断した場合、前記第１の画像処理装置及び前記第２の画像処理装置のうち、所定範囲内にある端末装置の数が少ない画像処理装置の方が所定範囲内にある端末装置の数が多い画像処理装置よりも前記一部の端末装置との距離が近くなるように前記第１の画像処理装置または前記第２の画像処理装置の設置位置を変更すべきであると判断する、請求項２５に記載のレイアウト評価プログラム。
【請求項２７】
前記出力ステップにおける出力には、前記第１の画像処理装置及び前記第２の画像処理装置の適正な設置位置に関する情報を含む、請求項１９〜２６のいずれかに記載のレイアウト評価プログラム。
【請求項２８】
前記出力ステップにおける出力には、前記第１の画像処理装置または前記第２の画像処理装置の設置位置を変更するための情報を含む、請求項１９〜２７のいずれかに記載のレイアウト評価プログラム。
【請求項２９】
前記出力ステップにおける出力には、前記第１の画像処理装置または前記第２の画像処理装置の設置位置を移動させるための移動方向を含む、請求項２８に記載のレイアウト評価プログラム。
【請求項３０】
前記出力ステップにおける出力には、前記第１の画像処理装置または前記第２の画像処理装置の設置位置を移動させるための移動距離を含む、請求項２９に記載のレイアウト評価プログラム。
【請求項３１】
前記解析ステップは、前記第１の画像処理装置または前記第２の画像処理装置の設置位置を変更した場合の、前記第１の画像処理装置及び前記第２の画像処理装置におけるジョブの実行量を推定する、請求項１９〜３０のいずれかに記載のレイアウト評価プログラム。
【請求項３２】
前記出力ステップにおける出力には、前記推定したジョブの実行量を含む、請求項３１に記載のレイアウト評価プログラム。
【請求項３３】
前記解析ステップは、前記取得ステップにおいて取得した位置関係を示す情報に基づいて、前記第１の画像処理装置から所定の範囲内にあり、且つ、前記第２の画像処理装置から所定の範囲内にある端末装置の中から、前記一部の端末装置を特定する、請求項１９〜３２のいずれかに記載のレイアウト評価プログラム。
【請求項３４】
前記取得ステップは、前記第１の画像処理装置及び第２の画像処理装置のそれぞれについて、前記複数の端末装置のそれぞれとの間の位置関係を示す情報として、前記第１の画像処理装置及び第２の画像処理装置のそれぞれと、前記複数の端末装置のそれぞれとの間の無線通信状態を示す通信状態情報を取得し、
前記解析ステップは、前記通信状態情報が示す無線通信状態に基づいて、第１の画像処理装置及び第２の画像処理装置のそれぞれと、前記複数の端末装置のそれぞれとの間の距離を導出する、請求項１９〜３３のいずれかに記載のレイアウト評価プログラム。
【請求項３５】
前記取得ステップにおいて取得される通信状態情報は、複数の通信強度のそれぞれにより無線通信した場合の無線通信状態を示し、
前記解析ステップは、通信強度毎の通信可能距離と各通信強度での無線通信状態とから、前記第１の画像処理装置及び第２の画像処理装置のそれぞれと、前記複数の端末装置のそれぞれとの距離を導出する、請求項３４に記載のレイアウト評価プログラム。
【請求項３６】
前記取得ステップにおいて取得される通信状態情報は、無線通信時の伝播時間を示し、
前記第１の画像処理装置と第２の画像処理装置のそれぞれと、前記複数の端末装置のそれぞれは、同じクロックを備え、
前記第１の画像処理装置及び第２の画像処理装置のそれぞれと、前記複数の端末装置のそれぞれとの間で無線通信する場合に、送信側の装置は送信時に自装置が備えるクロックが示す時刻を送信データに付加し、受信側の装置は、前記送信データの受信時に自装置のクロックが示す時刻と、前記送信データに付加されている時刻との差を求め、
前記解析ステップは、この差に基づいて前記第１の画像処理装置及び第２の画像処理装置のそれぞれと、前記複数の端末装置のそれぞれとの距離を導出する、請求項３４に記載のレイアウト評価プログラム。
【手続補正２】
【補正対象書類名】明細書
【補正対象項目名】発明の名称
【補正方法】変更
【補正の内容】
【発明の名称】レイアウト評価装置、レイアウト評価プログラム
【手続補正３】
【補正対象書類名】明細書
【補正対象項目名】０００１
【補正方法】変更
【補正の内容】
【０００１】
本発明は、オフィスなどでプリンタや複合機などの画像形成装置の設置位置の適正化を図るためのレイアウト評価装置、レイアウト評価プログラムに関する。
【手続補正４】
【補正対象書類名】明細書
【補正対象項目名】０００６
【補正方法】変更
【補正の内容】
【０００６】
本発明は、上記の問題を解決しようとするものであり、複数の画像形成装置の設置位置の適正化を図ることのできるレイアウト評価装置、レイアウト評価プログラムを提供することを目的としている。
【手続補正５】
【補正対象書類名】明細書
【補正対象項目名】０００８
【補正方法】変更
【補正の内容】
【０００８】
［１］第１の画像処理装置、第２の画像処理装置、及び、複数の端末装置を含む画像処理システムにおいて用いられるレイアウト評価装置であって、
前記第１の画像処理装置及び第２の画像処理装置のそれぞれについて、前記複数の端末装置のそれぞれとの間の位置関係を示す情報を取得する取得部と、
前記取得部が取得した位置関係を示す情報に基づいて、前記複数の端末装置のうちの一部の端末装置と、前記第１の画像処理装置及び前記第２の画像処理装置のそれぞれとの位置関係を解析し、前記第１の画像処理装置及び前記第２の画像処理装置の設置位置の適正さを判断する解析部と、
前記解析部による判断結果を出力する出力部と
を備えることを特徴とするレイアウト評価装置。
【手続補正６】
【補正対象書類名】明細書
【補正対象項目名】０００９
【補正方法】変更
【補正の内容】
【０００９】
［２］前記解析部は、前記第１の画像処理装置及び前記第２の画像処理装置の設置位置が適正でない場合に、前記第１の画像処理装置または前記第２の画像処理装置の設置位置を変更すべきと判断し、前記第１の画像処理装置及び前記第２の画像処理装置の設置位置が適正である場合に、前記第１の画像処理装置または前記第２の画像処理装置の設置位置を変更すべきでないと判断する、［１］に記載のレイアウト評価装置。
【手続補正７】
【補正対象書類名】明細書
【補正対象項目名】００１０
【補正方法】変更
【補正の内容】
【００１０】
［３］前記取得部は、さらに、前記複数の端末装置のそれぞれと前記第１の画像処理装置または前記第２の画像処理装置とが対応付けられたジョブ履歴を取得し、
前記解析部は、さらに、前記第１の画像処理装置が実行したジョブの量と、前記第２の画像処理装置が実行したジョブの量とを比較して、前記第１の画像処理装置及び前記第２の画像処理装置の設置位置の適正さを判断する、［１］または［２］に記載のレイアウト評価装置。
【手続補正８】
【補正対象書類名】明細書
【補正対象項目名】００１１
【補正方法】変更
【補正の内容】
【００１１】
［４］前記解析部は、前記第１の画像処理装置及び前記第２の画像処理装置のそれぞれが実行したジョブの量に、所定の差がある場合に、前記第１の画像処理装置及び前記第２の画像処理装置の設置位置が適正でないと判断する、［３］に記載のレイアウト評価装置。
【手続補正９】
【補正対象書類名】明細書
【補正対象項目名】００１２
【補正方法】変更
【補正の内容】
【００１２】
［５］前記解析部は、前記第１の画像処理装置及び前記第２の画像処理装置の設置位置が適正でないと判断した場合、前記第１の画像処理装置及び前記第２の画像処理装置のうち、ジョブの実行量が少ない画像処理装置の方がジョブの実行量の多い画像処理装置よりも前記一部の端末装置との距離が近くなるように前記第１の画像処理装置または前記第２の画像処理装置の設置位置を変更すべきであると判断する、［４］に記載のレイアウト評価装置。
【手続補正１０】
【補正対象書類名】明細書
【補正対象項目名】００１３
【補正方法】変更
【補正の内容】
【００１３】
［６］前記解析部は、さらに、前記第１の画像処理装置から所定の範囲内にある端末装置の数と、前記第２の画像処理装置から所定の範囲内にある端末装置の数とを比較して、前記第１の画像処理装置の設置位置と前記第２の画像処理装置の設置位置との適正さを判断する、［１］または［２］に記載のレイアウト評価装置。
【手続補正１１】
【補正対象書類名】明細書
【補正対象項目名】００１４
【補正方法】変更
【補正の内容】
【００１４】
［７］前記解析部は、前記第１の画像処理装置から所定の範囲内にある端末装置の数と、前記第２の画像処理装置から所定の範囲内にある端末装置の数とに、所定の差がある場合に、前記第１の画像処理装置及び前記第２の画像処理装置の設置位置が適正でないと判断する、［６］に記載のレイアウト評価装置。
【手続補正１２】
【補正対象書類名】明細書
【補正対象項目名】００１５
【補正方法】変更
【補正の内容】
【００１５】
［８］前記解析部は、前記第１の画像処理装置及び前記第２の画像処理装置の設置位置が適正でないと判断した場合、前記第１の画像処理装置及び前記第２の画像処理装置のうち、所定範囲内にある端末装置の数が少ない画像処理装置の方が所定範囲内にある端末装置の数が多い画像処理装置よりも前記一部の端末装置との距離が近くなるように前記第１の画像処理装置または前記第２の画像処理装置の設置位置を変更すべきであると判断する、［７］に記載のレイアウト評価装置。
【手続補正１３】
【補正対象書類名】明細書
【補正対象項目名】００１６
【補正方法】変更
【補正の内容】
【００１６】
［９］前記出力部の出力には、前記第１の画像処理装置及び前記第２の画像処理装置の適正な設置位置に関する情報を含む、［１］〜［８］のいずれかに記載のレイアウト評価装置。
【手続補正１４】
【補正対象書類名】明細書
【補正対象項目名】００１７
【補正方法】変更
【補正の内容】
【００１７】
［１０］前記出力部の出力には、前記第１の画像処理装置または前記第２の画像処理装置の設置位置を変更するための情報を含む、［１］〜［９］のいずれかに記載のレイアウト評価装置。
【手続補正１５】
【補正対象書類名】明細書
【補正対象項目名】００１８
【補正方法】変更
【補正の内容】
【００１８】
［１１］前記出力部の出力には、前記第１の画像処理装置または前記第２の画像処理装置の設置位置を移動させるための移動方向を含む、［１０］に記載のレイアウト評価装置。
【手続補正１６】
【補正対象書類名】明細書
【補正対象項目名】００１９
【補正方法】変更
【補正の内容】
【００１９】
［１２］前記出力部の出力には、前記第１の画像処理装置または前記第２の画像処理装置の設置位置を移動させるための移動距離を含む、［１１］に記載のレイアウト評価装置。
【手続補正１７】
【補正対象書類名】明細書
【補正対象項目名】００２０
【補正方法】変更
【補正の内容】
【００２０】
［１３］前記解析部は、前記第１の画像処理装置または前記第２の画像処理装置の設置位置を変更した場合の、前記第１の画像処理装置及び前記第２の画像処理装置におけるジョブの実行量を推定する、［１］〜［１２］のいずれかに記載のレイアウト評価装置。
【手続補正１８】
【補正対象書類名】明細書
【補正対象項目名】００２１
【補正方法】変更
【補正の内容】
【００２１】
［１４］前記出力部の出力には、前記推定したジョブの実行量を含む、［１３］に記載のレイアウト評価装置。
【手続補正１９】
【補正対象書類名】明細書
【補正対象項目名】００２２
【補正方法】変更
【補正の内容】
【００２２】
［１５］前記解析部は、前記取得部が取得した位置関係を示す情報に基づいて、前記第１の画像処理装置から所定の範囲内にあり、且つ、前記第２の画像処理装置から所定の範囲内にある端末装置の中から、前記一部の端末装置を特定する、［１］〜［１４］のいずれかに記載のレイアウト評価装置。
【手続補正２０】
【補正対象書類名】明細書
【補正対象項目名】００２３
【補正方法】変更
【補正の内容】
【００２３】
［１６］前記取得部は、前記第１の画像処理装置及び第２の画像処理装置のそれぞれについて、前記複数の端末装置のそれぞれとの間の位置関係を示す情報として、前記第１の画像処理装置及び第２の画像処理装置のそれぞれと、前記複数の端末装置のそれぞれとの間の無線通信状態を示す通信状態情報を取得し、
前記解析部は、前記通信状態情報が示す無線通信状態に基づいて、第１の画像処理装置及び第２の画像処理装置のそれぞれと、前記複数の端末装置のそれぞれとの間の距離を導出する、［１］〜［１５］のいずれかに記載のレイアウト評価装置。
【手続補正２１】
【補正対象書類名】明細書
【補正対象項目名】００２４
【補正方法】変更
【補正の内容】
【００２４】
［１７］前記取得部が取得する通信状態情報は、複数の通信強度のそれぞれにより無線通信した場合の無線通信状態を示し、
前記解析部は、通信強度毎の通信可能距離と各通信強度での無線通信状態とから、前記第１の画像処理装置及び第２の画像処理装置のそれぞれと、前記複数の端末装置のそれぞれとの距離を導出する、［１６］に記載のレイアウト評価装置。
【手続補正２２】
【補正対象書類名】明細書
【補正対象項目名】００２５
【補正方法】変更
【補正の内容】
【００２５】
［１８］前記取得部が取得する通信状態情報は、無線通信時の伝播時間を示し、
前記第１の画像処理装置と第２の画像処理装置のそれぞれと、前記複数の端末装置のそれぞれは、同じクロックを備え、
前記第１の画像処理装置及び第２の画像処理装置のそれぞれと、前記複数の端末装置のそれぞれとの間で無線通信する場合に、送信側の装置は送信時に自装置が備えるクロックが示す時刻を送信データに付加し、受信側の装置は、前記送信データの受信時に自装置のクロックが示す時刻と、前記送信データに付加されている時刻との差を求め、前記解析部は、この差に基づいて前記第１の画像処理装置及び第２の画像処理装置のそれぞれと、前記複数の端末装置のそれぞれとの距離を導出する、［１６］に記載のレイアウト評価装置。
【手続補正２３】
【補正対象書類名】明細書
【補正対象項目名】００２６
【補正方法】変更
【補正の内容】
【００２６】
［１９］第１の画像処理装置、第２の画像処理装置、及び、複数の端末装置を含む画像処理システムにおいて用いられるレイアウト評価装置として機能するコンピュータで実行されるプログラムであって
前記第１の画像処理装置及び第２の画像処理装置のそれぞれについて、前記複数の端末装置のそれぞれとの間の位置関係を示す情報を取得する取得ステップと、
前記取得した位置関係を示す情報に基づいて、前記複数の端末装置のうちの一部の端末装置と、前記第１の画像処理装置及び前記第２の画像処理装置のそれぞれとの位置関係を解析し、前記第１の画像処理装置及び前記第２の画像処理装置の設置位置の適正さを判断する解析ステップと、
前記解析ステップにおける判断結果を出力する出力ステップと
を実行することを特徴とするレイアウト評価プログラム。
【手続補正２４】
【補正対象書類名】明細書
【補正対象項目名】００２７
【補正方法】変更
【補正の内容】
【００２７】
［２０］前記解析ステップは、前記第１の画像処理装置及び前記第２の画像処理装置の設置位置が適正でない場合に、前記第１の画像処理装置または前記第２の画像処理装置の設置位置を変更すべきと判断し、前記第１の画像処理装置及び前記第２の画像処理装置の設置位置が適正である場合に、前記第１の画像処理装置または前記第２の画像処理装置の設置位置を変更すべきでないと判断する、［１９］に記載のレイアウト評価プログラム。
【手続補正２５】
【補正対象書類名】明細書
【補正対象項目名】００２８
【補正方法】変更
【補正の内容】
【００２８】
［２１］前記取得ステップは、さらに、前記複数の端末装置のそれぞれと前記第１の画像処理装置または前記第２の画像処理装置とが対応付けられたジョブ履歴を取得し、
前記解析ステップは、さらに、前記第１の画像処理装置が実行したジョブの量と、前記第２の画像処理装置が実行したジョブの量とを比較して、前記第１の画像処理装置及び前記第２の画像処理装置の設置位置の適正さを判断する、［１９］または［２０］に記載のレイアウト評価プログラム。
【手続補正２６】
【補正対象書類名】明細書
【補正対象項目名】００２９
【補正方法】変更
【補正の内容】
【００２９】
［２２］前記解析ステップは、前記第１の画像処理装置及び前記第２の画像処理装置のそれぞれが実行したジョブの量に、所定の差がある場合に、前記第１の画像処理装置及び前記第２の画像処理装置の設置位置が適正でないと判断する、［２１］に記載のレイアウト評価プログラム。
【手続補正２７】
【補正対象書類名】明細書
【補正対象項目名】００３０
【補正方法】変更
【補正の内容】
【００３０】
［２３］前記解析ステップは、前記第１の画像処理装置及び前記第２の画像処理装置の設置位置が適正でないと判断した場合、前記第１の画像処理装置及び前記第２の画像処理装置のうち、ジョブの実行量が少ない画像処理装置の方がジョブの実行量の多い画像処理装置よりも前記一部の端末装置との距離が近くなるように前記第１の画像処理装置または前記第２の画像処理装置の設置位置を変更すべきであると判断する、［２２］に記載のレイアウト評価プログラム。
【手続補正２８】
【補正対象書類名】明細書
【補正対象項目名】００３１
【補正方法】変更
【補正の内容】
【００３１】
［２４］前記解析ステップは、さらに、前記第１の画像処理装置から所定の範囲内にある端末装置の数と、前記第２の画像処理装置から所定の範囲内にある端末装置の数とを比較して、前記第１の画像処理装置及び前記第２の画像処理装置の設置位置の適正さを判断する、［１９］または［２０］に記載のレイアウト評価プログラム。
【手続補正２９】
【補正対象書類名】明細書
【補正対象項目名】００３２
【補正方法】変更
【補正の内容】
【００３２】
［２５］前記解析ステップは、前記第１の画像処理装置から所定の範囲内にある端末装置の数と、前記第２の画像処理装置から所定の範囲内にある端末装置の数とに、所定の差がある場合に、前記第１の画像処理装置及び前記第２の画像処理装置の設置位置が適正でないと判断する、［２４］に記載のレイアウト評価プログラム。
【手続補正３０】
【補正対象書類名】明細書
【補正対象項目名】００３３
【補正方法】変更
【補正の内容】
【００３３】
［２６］前記解析ステップは、前記第１の画像処理装置及び前記第２の画像処理装置の設置位置が適正でないと判断した場合、前記第１の画像処理装置及び前記第２の画像処理装置のうち、所定範囲内にある端末装置の数が少ない画像処理装置の方が所定範囲内にある端末装置の数が多い画像処理装置よりも前記一部の端末装置との距離が近くなるように前記第１の画像処理装置または前記第２の画像処理装置の設置位置を変更すべきであると判断する、［２５］に記載のレイアウト評価プログラム。
【手続補正３１】
【補正対象書類名】明細書
【補正対象項目名】００３４
【補正方法】変更
【補正の内容】
【００３４】
［２７］前記出力ステップにおける出力には、前記第１の画像処理装置及び前記第２の画像処理装置の適正な設置位置に関する情報を含む、［１９］〜［２６］のいずれかに記載のレイアウト評価プログラム。
【手続補正３２】
【補正対象書類名】明細書
【補正対象項目名】００３５
【補正方法】変更
【補正の内容】
【００３５】
［２８］前記出力ステップにおける出力には、前記第１の画像処理装置または前記第２の画像処理装置の設置位置を変更するための情報を含む、［１９］〜［２７］のいずれかに記載のレイアウト評価プログラム。
【手続補正３３】
【補正対象書類名】明細書
【補正対象項目名】００３６
【補正方法】変更
【補正の内容】
【００３６】
［２９］前記出力ステップにおける出力には、前記第１の画像処理装置または前記第２の画像処理装置の設置位置を移動させるための移動方向を含む、［２８］に記載のレイアウト評価プログラム。
【手続補正３４】
【補正対象書類名】明細書
【補正対象項目名】００３７
【補正方法】変更
【補正の内容】
【００３７】
［３０］前記出力ステップにおける出力には、前記第１の画像処理装置または前記第２の画像処理装置の設置位置を移動させるための移動距離を含む、［２９］に記載のレイアウト評価プログラム。
【手続補正３５】
【補正対象書類名】明細書
【補正対象項目名】００３８
【補正方法】変更
【補正の内容】
【００３８】
［３１］前記解析ステップは、前記第１の画像処理装置または前記第２の画像処理装置の設置位置を変更した場合の、前記第１の画像処理装置及び前記第２の画像処理装置におけるジョブの実行量を推定する、［１９］〜［３０］のいずれかに記載のレイアウト評価プログラム。
【手続補正３６】
【補正対象書類名】明細書
【補正対象項目名】００３９
【補正方法】変更
【補正の内容】
【００３９】
［３２］前記出力ステップにおける出力には、前記推定したジョブの実行量を含む、［３１］に記載のレイアウト評価プログラム。
【手続補正３７】
【補正対象書類名】明細書
【補正対象項目名】００４０
【補正方法】変更
【補正の内容】
【００４０】
［３３］前記解析ステップは、前記取得ステップにおいて取得した位置関係を示す情報に基づいて、前記第１の画像処理装置から所定の範囲内にあり、且つ、前記第２の画像処理装置から所定の範囲内にある端末装置の中から、前記一部の端末装置を特定する、［１９］〜［３２］のいずれか］に記載のレイアウト評価プログラム。
【手続補正３８】
【補正対象書類名】明細書
【補正対象項目名】００４１
【補正方法】変更
【補正の内容】
【００４１】
［３４］前記取得ステップは、前記第１の画像処理装置及び第２の画像処理装置のそれぞれについて、前記複数の端末装置のそれぞれとの間の位置関係を示す情報として、前記第１の画像処理装置及び第２の画像処理装置のそれぞれと、前記複数の端末装置のそれぞれとの間の無線通信状態を示す通信状態情報を取得し、
前記解析ステップは、前記通信状態情報が示す無線通信状態に基づいて、第１の画像処理装置及び第２の画像処理装置のそれぞれと、前記複数の端末装置のそれぞれとの間の距離を導出する、［１９］〜［３３］のいずれかに記載のレイアウト評価プログラム。
【手続補正３９】
【補正対象書類名】明細書
【補正対象項目名】００４２
【補正方法】変更
【補正の内容】
【００４２】
［３５］前記取得ステップにおいて取得される通信状態情報は、複数の通信強度のそれぞれにより無線通信した場合の無線通信状態を示し、
前記解析ステップは、通信強度毎の通信可能距離と各通信強度での無線通信状態とから、前記第１の画像処理装置及び第２の画像処理装置のそれぞれと、前記複数の端末装置のそれぞれとの距離を導出する、［３４］に記載のレイアウト評価プログラム。
【手続補正４０】
【補正対象書類名】明細書
【補正対象項目名】００４３
【補正方法】変更
【補正の内容】
【００４３】
［３６］前記取得ステップにおいて取得される通信状態情報は、無線通信時の伝播時間を示し、
前記第１の画像処理装置と第２の画像処理装置のそれぞれと、前記複数の端末装置のそれぞれは、同じクロックを備え、
前記第１の画像処理装置及び第２の画像処理装置のそれぞれと、前記複数の端末装置のそれぞれとの間で無線通信する場合に、送信側の装置は送信時に自装置が備えるクロックが示す時刻を送信データに付加し、受信側の装置は、前記送信データの受信時に自装置のクロックが示す時刻と、前記送信データに付加されている時刻との差を求め、
前記解析ステップは、この差に基づいて前記第１の画像処理装置及び第２の画像処理装置のそれぞれと、前記複数の端末装置のそれぞれとの距離を導出する、［３４］に記載のレイアウト評価プログラム。
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】変更
【補正の内容】
【００４５】
本発明に係るレイアウト評価装置、レイアウト評価プログラムによれば、複数の画像形成装置の設置位置の適正化を図るための情報をユーザに提供することができる。